(57)【要約】【課題】  記録紙の小さい場合に記録紙の剥離より次の記録紙の給紙開始までの時間が短く、装置の処理能力が向上する画像記録装置を提供すること。【解決手段】  記録紙をドラムの外周面に巻きつけ画像を書き込む画像記録装置において、画像を記録する記録紙を外周面に巻き付けるドラム手段と、前記ドラム手段の正回転方向で記録紙の一方端で供給し、ドラム手段の逆回転方向で記録紙の他方端で排出するようドラム手段を駆動する駆動手段とを備えたことを特徴とする画像記録装置。【選択図】        図３
2004345864.tif 000002
【特許請求の範囲】
【請求項１】
記録紙をドラムの外周面に巻きつけ画像を書き込む画像記録装置において、画像を記録する記録紙を外周面に巻き付けるドラム手段と、前記ドラム手段の正回転方向で記録紙の一方端で供給し、ドラム手段の逆回転方向で記録紙の他方端で排出するようドラム手段を駆動する駆動手段とを備えたことを特徴とする画像記録装置。
【請求項２】
請求項１記載の画像記録装置において、さらに前記記録紙の先端部を前記ドラム手段に位置決めする部材と、前記記録紙の後端部を前記ドラム手段から剥離する部材とを併用する位置決め剥離手段と、を備えたことを特徴とする画像記録装置。
【請求項３】
請求項２記載の画像記録装置において、前記位置決め剥離手段がドラム手段と近接する部分の形状が、近接するドラムの曲率と略同じであることを特徴とする画像記録装置。
【発明の詳細な説明】
【技術分野】
【０００１】
本発明は画像記録装置に係わり、さらに詳しくは、ドラムに記録紙を巻き付け、画像を書き込む画像記録装置に関する。
【背景技術】
【０００２】
（従来の技術１）従来より、ドラムへ記録紙を供給する場合、記録紙の先端の位置決めはドラム側に設けられた位置決め部材により位置決めし、画像の記録紙への書き込み終了後に、記録紙を剥離する画像記録装置が知られている。
【０００３】
（従来の技術２）従来より、記録紙の先端部をドラムに設けられた位置決めにより位置決めし、位置決め場所とは異なる位置にスクイズローラが設けられ、記録紙をドラムに密着させた画像記録装置が知られている。
【０００４】
（従来の技術３）従来より、画像を記録する記録紙を外周面に巻き付け、且つ回転中心軸を原点として水平をＸ軸とし、垂直をＹ軸とするドラム手段と、前記Ｘ軸とＹ軸で構成される座標の第１象限側のＸ軸上に画像書き込みの光源を配置し、Ｘ軸に第２象限側のドラム手段の外周面上に記録紙の先端を位置決めした画像記録装置が知られている。
【０００５】
（従来の技術４）画像を記録する記録紙をドラムの外周面に巻き付け、ドラムの正回転方向で記録紙の一方端で供給し、ドラムと同回転方向で記録紙の他方端を排出し、記録紙に画像を書き込む画像記録装置が知られている。
【０００６】
（従来の技術５）画像を記録する記録紙をドラムの外周面に巻き付け、記録紙の先端をドラムに位置決めする部材と、記録紙のドラムからの剥離する部材とは別々の部材で行う画像記録装置が知られている。
【発明の開示】
【発明が解決しようとする課題】
【０００７】
しかしながら、（従来の技術１）の課題として、ドラム側に位置決め部材があると、ドラムを高速回転する際に、不釣り合いを生じ振動等をおこしやすく、また、位置決め部材の加工が困難で、また、ドラムの重心をドラムの回転軸に正確に合わせることが困難である。
【０００８】
（従来の技術２）の課題として、位置決めとスクイズローラの位置がずれていると、スクイズ開始時に記録紙の先端部がズレやすい。
【０００９】
（従来の技術３）の課題として、画像記録装置が大きくなり、また、次工程のたとえば現像処理等との記録紙の流れがスムースでなくなる。
【００１０】
（従来の技術４）の課題として、記録紙の小さい場合に記録紙の剥離より次の記録紙の給紙開始までの時間を長くなり、装置の処理能力が低下する。
【００１１】
（従来の技術５）の課題として、位置決め部材と、記録紙のドラムからの剥離部材とが別々の部材であるのでコスト高となる。
【００１２】
本発明は上記の課題に鑑みなされたもので、本発明の目的は、特に、記録紙の小さい場合に記録紙の剥離より次の記録紙の給紙開始までの時間が短く、装置の処理能力が向上する画像記録装置を提供すること（従来の技術４の課題に対するもの）、及び、位置決めと剥離と併用した部材でコスト安の画像記録装置を提供すること（従来の技術５の課題に対するもの）にある。
【００１３】
その他の目的は、ドラムを高速で回転しても安定し、記録紙の先端部が正確に位置決めできる画像記録装置を提供すること（従来の技術１の課題に対するもの）、ドラムを高速で回転しても安定し、記録紙の先端部が正確に位置決めでき、記録紙がドラムに確実に密着できる画像記録装置を提供すること（従来の技術２の課題に対するもの）、画像記録装置が小型となり、また、次工程のたとえば現像処理等との記録紙の流れがスムースな画像記録装置を提供すること（従来の技術３の課題に対するもの）にある。
【課題を解決するための手段】
【００１４】
上記、本発明の目的は、下記の手段により達成される。
【００１５】
請求項１記載の画像記録装置は、記録紙をドラムの外周面に巻きつけ画像を書き込む画像記録装置において、画像を記録する記録紙を外周面に巻き付けるドラム手段と、前記ドラム手段の正回転方向で記録紙の一方端で供給し、ドラム手段の逆回転方向で記録紙の他方端で排出するようドラム手段を駆動する駆動手段とを備えたことを特徴とするものである。
【００１６】
請求項２記載の画像記録装置は、請求項１記載の画像記録装置において、さらに前記記録紙の先端部を前記ドラム手段に位置決めする部材と、前記記録紙の後端部を前記ドラム手段から剥離する部材とを併用する位置決め剥離手段と、を備えたことを特徴とするものである。
【００１７】
請求項３記載の画像記録装置は、請求項２記載の画像記録装置において、前記位置決め剥離手段がドラム手段と近接する部分の形状が、近接するドラムの曲率と略同じであることを特徴とするものである。
【００１８】
上記、その他の目的は、下記の手段により達成される。
【００１９】
（１）  記録紙をドラムの外周面に巻きつけ画像を書き込む画像記録装置において、画像を記録する前記記録紙を外周面に巻き付けるドラム手段と、前記記録紙の先端を前記ドラム手段の外周面に位置決めする位置決め手段と、前記記録紙を前記ドラム手段に位置決めするとき、位置決め手段を前記ドラム手段に当接し、位置決め終了後は位置決め手段を前記ドラム手段より離す位置決め可動手段と、を備えたことを特徴とする画像記録装置。
【００２０】
（２）記録紙をドラムの外周面に巻きつけ画像を書き込む画像記録装置において、画像を記録する記録紙を外周面に巻き付けるドラム手段と、前記記録紙の先端を前記ドラム手段に位置決めする位置決め手段と、前記記録紙の先端を前記ドラム手段に位置決めするとき、位置決め手段を前記ドラム手段に当接し、位置決め終了後は位置決め手段を前記ドラム手段より離す位置決め可動手段と、位置決め手段の位置決め部と前記ドラム手段の外周面との接点を通り前記ドラム手段のドラム軸に平行な位置近傍に設けた前記記録紙を前記ドラム手段に密着させるスクイズローラ手段と、を備えたことを特徴とする画像記録装置。
【００２１】
（３）  記録紙をドラムの外周面に巻きつけ画像を書き込む画像記録装置において、画像を記録する記録紙を外周面に巻き付け、且つ回転中心軸を原点として水平をＸ軸とし、垂直をＹ軸とするドラム手段と、前記Ｘ軸とＹ軸で構成される座標の第１象限側のＸ軸上に画像書き込みの光源を配置した書込み手段と、第１象限でＹ軸上、Ｘ軸上を含む範囲に設けたドラム手段の外周面上に記録紙の先端を位置決めする位置決め手段と、第３象限でＹ軸上、Ｘ軸上を含む範囲に設けたドラム手段の外周面上に記録紙を剥離する剥離手段と、を備えたことを特徴とする画像記録装置。
【発明の効果】
【００２２】
請求項１に記載の発明によれば、画像を記録する記録紙を外周面に巻き付けるドラム手段と、前記ドラム手段の正回転方向で記録紙を供給し、ドラム手段の逆回転方向で記録紙を排出するようドラム手段を駆動する駆動手段とを備えたので、特に、記録紙の小さい場合に記録紙の剥離より次の記録紙の給紙開始までの時間が短く、装置の処理能力が向上する。
【００２３】
請求項２に記載の発明によれば、画像を記録する記録紙を外周面に巻き付けるドラム手段と、前記記録紙の先端を前記ドラム手段に位置決めと、前記記録紙の前記ドラム手段からの分離を併用する位置決め剥離手段とを備えたので、位置決めと剥離と併用した部材で、コスト安となる。
【００２４】
請求項３に記載の発明によれば、位置決め剥離手段がドラム手段と近接する部分の形状が、近接するドラムの曲率と略同じであるので、位置決め手段の剥がし部形状が剥がしやすい形状となり、また、ドラム近接部分の強度が十分とれ、また、加工しやすい形状となる。
【００２５】
上記（１）に記載の画像記録装置は、画像を記録する記録紙を外周面に巻き付けるドラム手段と、前記記録紙の先端を前記ドラム手段に位置決めする位置決め手段と、前記記録紙の先端を前記ドラム手段に位置決めするとき、位置決め手段を前記ドラム手段に当接し、位置決め終了後は位置決め手段を前記ドラム手段より分離する位置決め可動手段とを備えたので、ドラムを高速で回転しても安定し、記録紙の先端部が正確に位置決めできる、ドラム側に特別な加工を必要とせず、ドラムが高速回転で不釣り合いを生じにくい。
【００２６】
上記（２）に記載の画像記録装置は、画像を記録する記録紙を外周面に巻き付けるドラム手段と、前記記録紙の先端を前記ドラム手段に位置決めする位置決め手段と、前記記録紙の先端を前記ドラム手段に位置決めするとき、位置決め手段を前記ドラム手段に当接し、位置決め終了後は位置決め手段を前記ドラム手段より分離する位置決め可動手段と、位置決め手段と前記ドラム手段との接点を通りドラム軸に平行な位置に前記記録紙を前記ドラム手段に密着させるスクイズローラ手段とを備え、記録紙が位置決めされた位置にスクイズローラ手段で記録紙をドラムに密着させるので、ドラムを高速で回転しても安定し、記録紙の先端部が正確に位置決めでき、記録紙がドラムに確実に密着できる。
【００２７】
上記（３）に記載の画像記録装置は、記録紙をドラムの外周面に巻きつけ画像を書き込む画像記録装置において、画像を記録する記録紙を外周面に巻き付け、且つ回転中心軸を原点として水平をＸ軸とし、垂直をＹ軸とするドラム手段と、前記Ｘ軸とＹ軸で構成される座標の第１象限側のＸ軸上に画像書き込みの光源を配置した書込み手段と、第１象限でＹ軸上、Ｘ軸上を含む範囲に設けたドラム手段の外周面上に記録紙の先端を位置決めする位置決め手段と、第３象限でＹ軸上、Ｘ軸上を含む範囲に設けたドラム手段の外周面上に記録紙を剥離する剥離手段と、を備えたので、画像記録装置が小型となり、また、次工程のたとえば現像処理等との記録紙の流れがスムースとなる。
【００２８】
また、ドラム手段が外周面の一部に環状の凹溝を設け、前記記録紙の先端を前記ドラム手段に位置決めするとき、前記凹溝に前記位置決め手段が当接するので、記録紙の先端が確実に位置決め部に当たる。
【００２９】
さらに、位置決め手段のドラム手段の近接する部分の形状が、近接するドラムの曲率と略同じであるので、位置決め手段の剥がし部形状が剥がしやすい形状となり、また、ドラム近接部分の強度が十分とれ、また、加工しやすい形状となる。
【発明を実施するための最良の形態】
【００３０】
（実施形態１）
図１は本発明の実施形態の全体構成図で、図２は本発明の実施形態の要部構成図である。図２はさらに詳しくは（ａ）は要部の正面図、（ｂ）は要部の側面図である。図１、２で、カートリッジ１２は記録紙Ｐが収納されたカートリッジで、記録紙Ｐはこの実施形態ではカラー印画紙である。カッタ１１は記録紙Ｐを所定長さにカットする。ドラム手段は外周面に記録紙Ｐを巻き付けるようになっている。なお、図１でドラム２１の回転中心軸を原点として水平をＸ軸とし、垂直をＹ軸とする。ドラム２１には記録紙Ｐを図示しない方法により真空吸着するようになっている。ドラム駆動部４０は画像書き込み時にドラム２１を書き込み速度で高速回転させるようになっており、モータ４１の回転が歯車列４２に伝達されドラム２１を回転させるようになっている。
【００３１】
位置決め手段９１は記録紙Ｐの先端部を位置決めする。位置決め可動手段９２はドラム２１の外周面に近づき、記録紙Ｐの位置決め終了後はドラム２１の外周面より離れるようになっている。位置決め手段９１は第１象限のＸ軸上、Ｙ軸上を含めた範囲に設けている。詳しくは、記録紙Ｐを位置決めするときは、位置決め手段９１が位置決め可動手段９２によりドラム２１の凹溝２１Ｃに入り、記録紙Ｐの先端部を位置決めする。位置決め終了後は、位置決め手段９１は位置決め可動手段９２によりドラム２１の凹溝２１Ｃより離れるようになっている。スクイズローラ手段であるスクイズローラ３１はバネ６３の力によりドラム２１に圧接して回転しながら、記録紙Ｐをドラム２１に密着させるようになっている。
【００３２】
スクイズローラ変位部６０はスクイズローラ３１をドラム２１より圧接、分離させるようになっている。圧接はモータ６１の回転によりカム６２が回動し、レバー５３より離れ、バネ６３の力によりレバー５３を可動させて、スクイズローラ３１をドラム２１に圧接させる。また、分離は圧接と同様にして、モータ６１の回転によりカム６２が回動し、レバー５３をバネ６３に抗して可動させて、スクイズローラ３１をドラム２１より分離させるようになっている。また、駆動手段５０はスクイズローラ３１よりドラム２１を回転するようになっており、モータ５１が回転すると、歯車列５２を介してレバー５３に設けられたプーリ５５を回転させ、ベルト５６を駆動させ、さらにプーリ５４を回転させてプーリ５４と一体のスクイズローラ３１を回転するようになっている。そして、記録紙Ｐのドラム２１への供給時および、排出時に、スクイズローラ３１の回転によりドラム２１が低速で回転する。
【００３３】
書込み手段８０は３色のレーザー８１、８２の光線はハーフミラー８５により光路を曲げ、レーザー８３の光線はミラー８４により光路も曲げて合成され記録紙に照射して画像を書き込みむようになっている。書込み手段は第１象限側のＸ軸上に光源を配置している。
【００３４】
剥離手段７０はドラム２１の外周面に密着している記録紙Ｐを剥がすようになっており、剥離のときは、剥離爪７１が可動部７２によりドラム２１に接触し、記録紙Ｐの先端部より剥離する。なお、剥離しないときは、剥離爪７１は可動部７２によりドラム２１より離れている。なお、剥離手段は第３象限でＸ軸上、Ｙ軸上を含む範囲に設けている。また、ローラ１４は排出ローラで記録紙Ｐを排出する。
【００３５】
ここで、画像の書込み動作を説明する。
【００３６】
１）記録紙の供給の動作：記録紙Ｐをカートリッジ１２よりローラ１３で引き出す。同時に、位置決め手段９１をドラム２１の凹溝２１Ｃに入れる。記録紙Ｐの先端部を位置決め爪９１に突きあて記録紙Ｐの先端部の位置を規制する。スクイズローラ３１で記録紙Ｐをドラム２１に密着させる。ここで、位置決め爪９１をドラム２１の凹溝２１Ｃより離す。スクイズローラ３１を回転させ、低速でドラム２１を図１で時計方向に回転させながら記録紙Ｐをドラムに図示しない真空吸着手段により吸引して固定させる。また、記録紙Ｐが所定長さ送られるとカッタ１１でカットする。ここで、スクイズローラ３１がドラム２１より離れる。
【００３７】
２）画像の書き込みの動作：ドラム２１を高速で回転させ、レーザー光線が図１の紙面で前後に移動してドラム２１の上の記録紙Ｐに画像信号を書き込む。
【００３８】
３）記録紙の排出の動作；分離爪７１をドラム２１側に近づける。スクイズローラ３１を回転させて、記録紙Ｐをドラム２１より剥がす。ローラ１４で記録紙Ｐを排出させる。なお、記録紙Ｐであるカラー印画紙は現像処理される。
（実施形態２）
図３は本発明の実施形態の全体構成図で、図４は本発明の実施形態の要部構成図である。図４はさらに詳しくは（ａ）は要部の正面図、（ｂ）は要部の側面図である。図３，４で、カートリッジ１２は記録紙Ｐが収納されたカートリッジで、記録紙Ｐはこの実施形態ではカラー印画紙である。カッタ１１は記録紙Ｐを所定長さにカットする。ドラム手段であるドラム２１は外周面に記録紙Ｐを巻き付けるようになっている。なお、ドラム２１には記録紙Ｐを図示しない方法により真空吸着するようになっている。ドラム駆動部４０は画像書き込み時にドラム２１を書き込み速度で回転させるようになっており、モータ４１の回転が歯車列４２に伝達されドラム２１を回転させるようになっている。
【００３９】
位置決め剥離手段である位置決め剥離爪９３は記録紙の位置決めと分離が同一部材でできるようになっている。位置決め剥離可動手段９４はドラム２１の外周面に近接し、記録紙Ｐの先端部を位置決めし、位置決め終了後はドラム２１の外周面より離れるようになっており、さらに、ドラム２１の外周面に近接し、記録紙Ｐの後端部を剥離し、剥離終了後はドラム２１の外周面より離れるようになっている。詳しくは、記録紙Ｐを位置決めするときは、位置決め剥離爪９３が位置決め剥離可動手段９４によりドラム２１の凹溝２１Ｃに入り、記録紙Ｐの先端部を位置決めし、位置決め終了後は、位置決め剥離爪９３は位置決め剥離可動手段９４によりドラム２１の凹溝２１Ｃより離れるようになっている。また、記録紙Ｐを剥離するときは、位置決め剥離爪９３が位置決め剥離可動手段９４によりドラム２１の凹溝２１Ｃに入り、記録紙Ｐの後端部を剥離し、剥離終了後は、位置決め剥離爪９３は位置決め剥離可動手段９４によりドラム２１の凹溝２１Ｃより離れるようになている。
【００４０】
スクイズローラ手段であるスクイズローラ３１はバネ６３の力によりドラムに圧接して回転しながら、記録紙Ｐをドラム２１に密着させるようになっている。スクイズローラ変位部６０はスクイズローラ３１をドラム２１より圧接、分離させる。圧接はモータ６１の回転によりカム６２が回動し、レバー５３より離れ、バネ６３の力によりレバー５３を可動させて、スクイズローラ３１をドラム２１に圧接させ、また、分離は圧接と同様にして、モータ６１の回転によりカム６２が回動し、レバー５３をバネ６３に抗して可動させて、スクイズローラ３１をドラム２１に分離させるようになっている。
【００４１】
駆動手段５０はスクイズローラ３１よりドラム２１を正回転、逆回転するようになっており、モータ５１が回転すると、歯車列５２を介してレバー５３に設けられたプーリ５５を回転させ、ベルト５６を駆動させ、さらにプーリ５４を回転させてプーリ５４と一体のスクイズローラ３１を回転するようになっている。そして、記録紙の供給時に、スクイズローラ３１の回転によりドラム２１を低速で正回転させる。また、記録紙の排出時に、スクイズローラ３１の回転によりドラム２１を低速で逆回転させる。
【００４２】
書込み手段８０は３色のレーザー８１、８２の光線はハーフミラー８５により光路を曲げ、レーザー８３の光線はミラー８４により光路も曲げて合成され記録紙に照射して画像を書き込むようになっている。
【００４３】
ここで、画像の書込み動作を説明する。
【００４４】
１）記録紙の供給の動作；記録紙Ｐをカートリッジ１２よりローラ１３で引き出す。同時に、位置決め剥離爪９３をドラム２１に近接させる。
【００４５】
記録紙Ｐの先端部を位置決め剥離爪９３に突きあて記録紙Ｐの先端部の位置を規制する。スクイズローラ３１で記録紙Ｐをドラム２１に密着させる。ここで、位置決め剥離爪９３をドラム２１よりはなす。スクイズローラ３１を回転させ、低速でドラム２１を図３で時計方向に回転させながら記録紙Ｐをドラム２１に図示しない真空吸着手段により吸引して固定させる。また、記録紙Ｐが所定長さ送られるとカッタ１１でカットする。ここで、スクイズローラ３１がドラム２１より離れる。
【００４６】
２）画像の書き込みの動作；ドラム２１を高速で回転させる。レーザー光線が図３の図面で前後に移動してドラム上の記録紙Ｐに画像信号を書き込む。
【００４７】
３）記録紙の排出の動作；位置決め剥離爪９３をドラム２１の凹溝２１Ｃに近づける。スクイズローラ３１によりドラム２１を逆回転させて、記録紙Ｐをドラムより剥がす。ローラ１４で記録紙Ｐを排出させる。なお、記録紙であるカラー印画紙は現像処理される。
【００４８】
なお、実施形態では画像記録装置としてカラーのレーザー書き込み装置について説明したが、モノクロ（白黒）のレーザー書き込み装置でもよく、また普通紙にインクジェット方式で画像書き込みを行うものであってもよい。
【図面の簡単な説明】
【００４９】
【図１】本発明の実施形態の全体構成図である。
【図２】本発明の実施形態の要部構成図である。
【図３】本発明の実施形態の全体構成図である。
【図４】本発明の実施形態の要部構成図である。
【符号の説明】
【００５０】
２１  ドラム（ドラム手段）
２１Ｃ  凹溝
３１  スクイズローラ（スクイズローラ手段）
４０  ドラム駆動部
４１  モータ
５０  駆動手段
５１  モータ
５３  レバー
６０  スクイズローラ変位部
６１  モータ
７０  剥離手段
７１  剥離爪
７２  可動部
８０  書込み手段
８１  レーザー
９１  位置決め手段（位置決め爪）
９２  位置決め可動手段
９３  位置決め剥離手段（位置決め剥離爪）
９４  位置決め剥離可動手段
Ｐ  記録紙
【図１】
2004345864.tif 000003
【図２】
2004345864.tif 000004
【図３】
2004345864.tif 000005
【図４】
2004345864.tif 000006